(57)【特許請求の範囲】
【請求項１】
正極シートと負極シートがシート状のセパレータを間に挟んだ状態で層状をなす電極体と、
前記電極体を収容するケースと、
前記電極体に含浸されている電解液と、
前記ケースに設けられる正極外部端子及び負極外部端子と、
液体または固体の抑制剤、または液体または固体の難燃化剤と、
前記ケースに設けられ、前記抑制剤または前記難燃化剤が収容されている収容室と、
を備えている蓄電装置であって、
前記収容室には、前記収容室の壁部の一部を構成するとともに、前記ケース内の圧力が所定値以上の場合に作動して前記収容室内を前記ケース内に開放する弁が備えられており、
前記弁は、前記ケース内の圧力が所定値以上の場合に破断する破断弁である、蓄電装置。
【請求項２】
前記収容室は、前記ケース内に収容されている、請求項１に記載の蓄電装置。
【請求項３】
正極シートと負極シートがシート状のセパレータを間に挟んだ状態で層状をなす電極体と、
前記電極体を収容するケースと、
前記電極体に含浸されている電解液と、
前記ケースに設けられる正極外部端子及び負極外部端子と、
液体または固体の抑制剤、または液体または固体の難燃化剤と、
前記ケースに設けられ、前記抑制剤または前記難燃化剤が収容されている収容室と、
を備えている蓄電装置であって、
前記収容室には、前記収容室の壁部の一部を構成するとともに、前記ケース内の圧力が所定値以上の場合に作動して前記収容室内を前記ケース内に開放する弁が備えられており、
前記収容室は、前記ケース内に収容されている、蓄電装置。
【請求項４】
前記収容室は、前記蓄電装置の使用時において、前記電極体の少なくとも一部よりも重力方向における上方に位置する請求項１〜３のいずれか一項に記載の蓄電装置。
【請求項５】
前記蓄電装置の使用時において、前記収容室の下面は、前記電極体に向かって重力方向における下方に傾斜しており、前記弁は前記収容室の重力方向における下方に設けられている、請求項４に記載の蓄電装置。
【請求項６】
正極シートと負極シートがシート状のセパレータを間に挟んだ状態で層状をなす電極体と、
前記電極体を収容するケースと、
前記電極体に含浸されている電解液と、
前記ケースに設けられる正極外部端子及び負極外部端子と、
液体または固体の抑制剤、または液体または固体の難燃化剤と、
前記ケースに設けられ、前記抑制剤または前記難燃化剤が収容されている収容室と、
を備えている蓄電装置であって、
前記収容室には、前記収容室の壁部の一部を構成するとともに、前記ケース内の圧力が所定値以上の場合に作動して前記収容室内を前記ケース内に開放する弁が備えられており、
前記収容室は、前記蓄電装置の使用時において、前記電極体の少なくとも一部よりも重力方向における上方に位置し、
前記蓄電装置の使用時において、前記収容室の下面は、前記電極体に向かって重力方向における下方に傾斜しており、前記弁は前記収容室の重力方向における下方に設けられている、蓄電装置。
【請求項７】
請求項１〜６のいずれか一項に記載の蓄電装置の構造を有する二次電池。
【発明の詳細な説明】
【技術分野】
【０００１】
本発明は、蓄電装置と、この蓄電装置の構造を有する二次電池に関する。
【背景技術】
【０００２】
蓄電装置の過充電時等に電極体が発熱すると、ガスが発生して、電極体を収容するケース内の圧力が上昇する場合がある。特許文献１および２には、過充電時にケース内の圧力が上昇した場合に、電極体に通電を遮断する物質を投入する安全機構が記載されている。
【０００３】
特許文献１では、電極体の上方に配置された電流遮断機構が安全機構を兼ねており、蓄電装置の通常動作時に電極体側の接続部材と接している接続板の上方に難燃剤が収容されている。蓄電装置の過充電時等にケース内の圧力が上昇し、接続板が上方に反転して電極体側の接続部材と離間すると、難燃化剤がこの接続板によって上方に押し出されて電極体に向かって放出され、難燃化剤と電解液とを混合して燃焼を抑制する。
【０００４】
また、特許文献２では、安全機構として、蓄電装置のケース内の中央において電極体と隣り合うように、中和剤容器と、ケース内の圧力に応じて移動する針が設置されている。蓄電装置の過充電時等にケース内の圧力が上昇すると、針の先端が中和剤容器に向かって移動して中和剤容器を刺して開口させ、電極体の異常動作を停止させる。
【先行技術文献】
【特許文献】
【０００５】
【特許文献１】特開２００９−８１０５９号公報
【特許文献２】特開平６−２９０８１２号公報
【発明の概要】
【発明が解決しようとする課題】
【０００６】
特許文献１では、接続板の反転動作時に難燃化剤に作用する力を調整することが難しく、この作用する力が弱いと、難燃化剤が十分に放出されず、安全機構として十分に機能しない。また、特許文献２では、針を移動させる距離と力を調整することが難しく、蓄電装置の過充電時等のケース内の圧力において、確実に針の先端が中和剤容器を刺して開口させるように調整することが困難である。
【課題を解決するための手段】
【０００７】
本明細書が開示する蓄電装置は、正極シートと負極シートがシート状のセパレータを間に挟んだ状態で層状をなす電極体と、電極体を収容するケースと、電極体に含浸されている電解液と、ケースに設けられる正極外部端子及び負極外部端子と、液体または固体の抑制剤、または液体または固体の難燃化剤と、ケースに設けられ、抑制剤または難燃化剤が収容されている収容室と、を備えている。この蓄電装置では、収容室には、収容室の壁部の一部を構成するとともに、ケース内の圧力が所定値以上の場合に作動して収容室内をケース内に開放する弁が備えられている。
【０００８】
上記の蓄電装置では、蓄電装置の電極反応または発火抑制剤は、収容室内に収容されており、収容室には、収容室の壁部の一部を構成するとともに、ケース内の圧力が所定値以上の場合に作動して収容室内をケース内に開放する弁が備えられている。弁が作動して収容室内がケース内に開放されると、収容室から抑制剤または難燃化剤が放出され、電極体と混合される。これによって、蓄電装置の電極反応または発火が抑制される。上記の蓄電装置によれば、圧力が所定値以上となった場合に弁が作動することのみによって抑制剤または難燃化剤が放出されるため、弁が作動する圧力を調整するだけで、所定のケース内の圧力に応じて確実に抑制剤または難燃化剤を放出することができ、蓄電装置の電極反応または発火を抑制することができる。
【０００９】
上記の蓄電装置では、弁は、ケース内の圧力が所定値以上の場合に破断する破断弁であってもよい。
【００１０】
上記の蓄電装置では、収容室は、ケース内に収容されていてもよい。また、収容室は、上記の蓄電装置の使用時において、電極体の少なくとも一部よりも重力方向における上方に位置していてもよい。
【００１１】
また、上記の蓄電装置の使用時において、収容室の下面は、電極体に向かって重力方向における下方に傾斜しており、弁は、収容室の重力方向における下方に設けられていてもよい。
【００１２】
本明細書は、上記の蓄電装置の構造を有する二次電池を開示する。
【発明の効果】
【００１３】
本発明によれば、所定のケース内の圧力に応じて抑制剤または難燃化剤を確実に放出し、蓄電装置の電極反応または発火を抑制することが可能な蓄電装置、およびこの蓄電装置の構造を有する二次電池を提供することができる。
【図面の簡単な説明】
【００１４】
【図１】実施例１に係る蓄電装置を示す図であり、弁が封止されている状態を示している。
【図２】図１に係る蓄電装置の弁を示す図である。
【図３】図１に係る蓄電装置を示す図であり、弁が開放された状態を示している。
【図４】変形例に係る蓄電装置の抑制剤収容室を示す図であり、弁が封止されている状態を示している。
【図５】変形例に係る蓄電装置の抑制剤収容室を示す図であり、弁が封止されている状態を示している。
【図６】変形例に係る蓄電装置の抑制剤収容室を示す図であり、弁が開放されている状態を示している。
【図７】変形例に係る蓄電装置を示す図であり、弁が封止されている状態を示している。
【発明を実施するための形態】
【００１５】
本明細書が開示する蓄電装置に係る技術は、例えば、二次電池、キャパシタ等の従来公知の蓄電装置に利用することができる。また、本明細書が開示する蓄電装置は、車両や電気機器等に搭載されていてもよい。
【００１６】
本願が開示する蓄電装置は、正極シートと負極シートがシート状のセパレータを間に挟んだ状態で層状をなす電極体と、電解液と、電極体を収容するケースと、正極外部端子及び負極外部端子とを備えている。電解液は、電極体に含浸されている。正極外部端子及び負極外部端子は、ケースに設けられている。
【００１７】
この蓄電装置は、さらに、抑制剤または難燃化剤と、抑制剤または難燃化剤が収容されている収容室と、弁とを備えている。収容室は、ケースに設けられている。弁は、収容室の壁部の一部を構成しており、この状態において、収容室内をケース内の電極体側と隔離している。また、弁は、ケース内の圧力が所定値以上の場合に作動して、収容室内をケース内に開放する。収容室内がケース内に開放されると、収容室から弁を介して、抑制剤または難燃化剤がケース内の電極体側に放出される。抑制剤または難燃化剤が放出されて電極体と混合されると、蓄電装置の電極反応または発火が抑制される。
【００１８】
弁は、ケース内の圧力が所定値以上の場合に作動して開放されるものであればよい。特に限定されないが、例えば、ケース内の圧力が所定値以上に達した場合に破断する破断弁であってもよいし、ケース内の圧力が所定値未満の場合には収容室内を閉鎖し、所定値以上の場合に作動して収容室内をケース内に開放する開閉弁であってもよい。弁として破断弁を用いる場合には、弁の構造が簡単で省スペースであるため、コスト性に優れるとともに、蓄電装置の小型化に寄与することができる。また、破断弁は、所定値以上の圧力で作動するまでの間においてはシール性が高く、抑制剤または難燃化剤が徐々に漏れることは殆どないから、蓄電装置の通常動作時に抑制剤または難燃化剤が電極体側に混合されることが殆どない点においても好ましい。弁が開放する圧力の所定値は、蓄電装置の抑制したい動作時におけるケース内の圧力値に応じて設定することができ、具体的には、例えば、蓄電装置の過充電時におけるケース内の圧力値の最小値に設定することができる。
【００１９】
抑制剤は、電極体や電解液と混合されることによって蓄電装置の電極反応を抑制可能な液体または固体であればよく、これらの混合物（例えば、水溶液等）であってもよい。難燃化剤は、電極体や電解液と混合されることによって蓄電装置の発火を抑制可能な液体または固体であればよく、これらの混合物であってもよい。さらには、抑制剤と難燃化剤の双方を収容室内に収容してもよい。また、電極体や電解液と混合された際に溶解するカプセル等に内包された抑制剤または難燃化剤であってもよい。抑制剤または難燃化剤として液体を用いる場合、弁を作動させるだけで比較的容易に抑制剤または難燃化剤を放出することができる点や、電極体や電解液と比較的均質に混合させ易い点において、好ましい。
【００２０】
抑制剤としては、例えば、液状の電解液を固化する固化剤、電解液の支持塩と反応して電解液の反応を停止させる電解液の停止剤、活物質と反応して電極体の電極反応を停止させる電極の停止剤からなる群から選ばれる少なくとも１つを好適に用いることができる。より具体的には、固化剤としては、テトラエトキシシラン水溶液等の、金属アルコキシドと水との混合物（水溶液）等を好適に用いることができる。また、非水性の電解液の停止剤としては、水等を好適に用いることができる。また、リチウム系の電極の停止剤としては、シクロヘキシルベンゼン、ビフェニル、水等を好適に用いることができる。難燃化剤としては、例えば、リン酸エステル系、ホスファゼン系、フッ化アルキル基を含む化合物、イオン液体等の従来公知の難燃化剤またはその混合物を好適に用いることができる。
【００２１】
上記の蓄電装置では、収容室は、ケースに設けられていればよく、電極体を収容するケース内に収容されていてもよいし、ケース外に突出して設けられていてもよい。ケースにおいて収容室を設ける位置については特に限定されないが、収容室が電極体の少なくとも一部よりも上方に位置する場合、収容室から放出される抑制剤または難燃化剤を効率よく電極体または電解液の全体に行き渡らせるためには、収容室は、電極体の少なくとも一部よりも、蓄電装置の使用時における重力方向の上方（以下、単に上方という。）に位置していることが好ましく、例えば、電極体の上方、側方に配置することが好ましい。さらには、弁は、電極体を上方から見たときの中央の上方に位置していることが特に好ましい。収容室は、ケースの壁面の一部を利用して構成されていてもよいし、ケースと別の容器を用いたものであってもよい。
【００２２】
また、収容室の下面は、電極体に向かって、蓄電装置の使用時における重力方向の下方（以下、単に下方という。）に傾斜してもよく、この場合、弁は、収容室の下方に設けられていることが好ましい。具体的には、例えば、収容室の下面や、側面の下部（例えば、側面の重力方向の幅の中央よりも下方となる部分）等に設けられていることが好ましい。このような構成によれば、弁が作動して収容室内を開放する際に、抑制剤または難燃化剤が弁に到達し易くなり、より速やかに、効率よく、抑制剤または難燃化剤の放出が行われる。このため、抑制剤または難燃化剤の収容量を減らし、収容室のスペースを小さくすることができ、蓄電装置の低コスト化や小型化に寄与することができる。特に、比較的放出されにくいと考えられる固体の抑制剤または難燃化剤（例えば、粉末状の抑制剤または難燃化剤や、カプセル等に内包された抑制剤または難燃化剤）を用いる場合には、収容室の下面が下方に傾斜していることが好ましい。
【実施例１】
【００２３】
図１は、積層型の電極体２を備えたリチウムイオン二次電池である蓄電装置１００を示している。蓄電装置１００は、ケース６０と、電極体２と、正極外部端子３０と、負極外部端子１０と、正極集電端子４６と、負極集電端子２６と、正極接続部材４４と、負極接続部材２４を備えている。ケース６０は、金属製の略直方体形状の箱型部材であり、ｘ方向の長さがｚ方向の長さよりも長くなっている。
【００２４】
ケース６０は、その内側に、電極体収容室６１と、抑制剤収容室６２とを備えている。抑制剤収容室６２は、電極体収容室６１の正極外部端子３０および負極外部端子１０が設置されている側（図１に示すｚ軸の正方向）の内壁面に固定されている。抑制剤収容室６２は、電極体収容室６１と隔離された箱型部材であり、ケース６０の内壁面に溶接等によって固定されている。
【００２５】
電極体収容室６１の内部には、電極体２と、正極集電端子４６と、負極集電端子２６と、正極接続部材４４と、負極接続部材２４が収容されている。
【００２６】
電極体２は、正極活物質と正極集電体とを含む正極シートと、負極活物質と負極集電体とを含む負極シートと、正極シートと負極シートとの間に挟まれてそれぞれを分離する、シート状のセパレータとを備えている。電極体２は、正極シート、セパレータ、負極シートが層状にこの順序でｙ軸方向にそれぞれ多数積層された積層体である。電極体２には、液状の電解液が含浸されている。電極体２の複数の正極シートの集電体は、正極集電端子４６によって束ねられており、複数の負極シートの集電体は負極集電端子２６によって束ねられている。電極体２は、絶縁性のフィルムによって覆われており、正極集電端子４６，負極集電端子２６に接続する部分において、絶縁性のフィルムから突出している。
【００２７】
正極集電端子４６は、電極体２からケース６０の上端面（ｚ軸の正方向の面）に向けて伸び、途中でｙ軸の正方向に向かって屈曲して、ケース６０の上端面に略平行な平坦部を有する形状に形成されている。負極集電端子２６は、電極体２からケース６０の上端面に向けて伸び、途中でｙ軸の正方向に向かって屈曲して、ケース６０の上端面に略平行な平坦部を有する形状に形成されている。
【００２８】
図１に示すように、正極接続部材４４は、平板状の導電性部材である。正極接続部材４４は、ケース６０の上端面に対して略平行に伸びている。正極接続部材４４の下面と、正極集電端子４６の平坦部の上面は当接しており、両者は溶接によって固定されている。正極外部端子３０と正極集電端子４６は、正極接続部材４４を介して電気的に接続されている。
【００２９】
図１に示すように、負極接続部材２４は、平板状の導電性部材である。負極接続部材２４は、ケース６０の上端面に対して略平行に伸びている。負極接続部材２４の下面と、負極集電端子２６の平坦部の上面は当接しており、両者は溶接によって固定されている。負極外部端子１０と負極集電端子２６は、負極接続部材２４を介して電気的に接続されている。
【００３０】
正極外部端子３０は、ボルト３４と、内側ナット３２と、外側ナット３６を備えている。正極外部端子３０が配置される位置において、ケース６０の上端面には貫通孔が形成されており、その貫通孔に絶縁性のガスケット４２が取り付けられている。内側ナット３２は、正極接続部材４４に形成された貫通孔を貫通して、ガスケット４２に取り付けられている。ボルト３４は、シール座金を介して、内側ナット３２に締結されている。正極接続部材４４は、内側ナット３２とガスケット４２に挟持されている。ガスケット４２は、ケース６０の上端面に当接しながら平板状に正極集電端子４６に向かってｘ軸の正方向に伸びる延伸部を備えている。正極接続部材４４の上面は、ガスケット４２の延伸部の下面に当接している。なお、正極外部端子３０の外側ナット３６は、正極外部端子３０と配線部材との結線に用いられる。
【００３１】
負極外部端子１０は、ボルト１４と、内側ナット１２と、外側ナット１６を備えている。負極外部端子１０が配置される位置において、ケース６０の上端面には貫通孔が形成されており、その貫通孔に絶縁性のガスケット２２が取り付けられている。内側ナット１２は、負極接続部材２４に形成された貫通孔を貫通して、ガスケット２２に取り付けられている。ボルト１４は、シール座金を介して、内側ナット１２に締結されている。負極接続部材２４は、内側ナット１２とガスケット２２に挟持されている。ガスケット２２は、ケース６０の上端面に当接しながら負極集電端子２６に向かってｘ軸の負方向に平板状に伸びる延伸部を備えている。負極接続部材２４の上面は、ガスケット４２の延伸部の下面に当接している。なお、負極外部端子１０の外側ナット１６は、負極外部端子１０と配線部材との結線に用いられる。
【００３２】
抑制剤収容室６２の内部には、液体の抑制剤８２０が収容されている。本実施例では、抑制剤８２０としてテトラエトキシシラン水溶液を用いている。テトラエトキシシラン水溶液は、電解液と混合することによって電解液を固化する固化剤である。
【００３３】
図１に示すように、抑制剤収容室６２の下面６２１は、電極体収容室６１の電極体２側に面している。図１および図２に示すように、下面６２１は、電極体収容室６１に面しており、下面６２１には、弁６２３が設けられている。弁６２３は、下面６２１のｘｙ方向における中央位置に設けられており、電極体２のｘｙ方向の中央位置の上方に位置している。下面６２１は、図２に示すｙ方向の両端およびｚ軸の正方向において、ケース６０の内壁面に溶接されている。
【００３４】
図２に示すように、弁６２３は、図２に示す四角と十字とを組み合わせた形状の刻印を下面６２１に形成したものであり、刻印が形成されている部分において下面６２１の厚さは薄くなっている。弁６２３は、電極体収容室６１内の圧力が所定値以上の場合に破断する破断弁である。弁６２３は、封止された状態において電極体収容室６１内と抑制剤収容室６２内とを隔離している。弁６２３が破断する圧力の所定値は、蓄電装置１００の電極体２の過充電時における電極体収容室６１内の圧力値に応じて設定されている。弁６２３に形成する刻印の深さや、弁６２３を設ける下面６２１の材質等を調整することによって、弁６２３を所定の圧力において破断させるようにすることができる。
【００３５】
蓄電装置１００は、電極体２に対して、正極外部端子３０および負極外部端子１０が設けられている側の方向（図１に示すｚ軸の正方向）が重力方向の上方となるように車両等に設置されて、使用される。すなわち、蓄電装置１００の使用時において、抑制剤収容室６２は、電極体２の重力方向の上方に位置している。電極体２の過充電時等に、電極体２が発熱すると、電極体２に含浸されている電解液が反応してガスが発生し、電極体収容室６１内の圧力が上昇する。
【００３６】
電極体収容室６１内の圧力が所定値よりも低い場合には、図１に示すように、弁６２３は封止されており、抑制剤収容室６２内と電極体収容室６１内とは、隔離されている。電極体収容室６１の圧力が所定値以上に上昇すると、弁６２３が破断して、抑制剤収容室６２内が電極体収容室６１内に開放される。これによって、図３に矢印で示すように、抑制剤８２０が弁６２３を介して電極体収容室６１に上方からに流れ込む。抑制剤８２０は、電極体２の絶縁性フィルムの内部に流れ込み、電極体２に含浸されている液状の電解液と混合して、これを固化する。電解液が固化されることによって、電極体の電極反応が抑制され、蓄電装置１００の充電電流が低下または遮断される。
【００３７】
上記のとおり、蓄電装置１００によれば、抑制剤８２０は、電極体２に対して重力方向の上方に位置する抑制剤収容室６２内に収容されている。抑制剤収容室６２の下面６２１には弁６２３が設けられており、電極体収容室６１の圧力が所定値以上になると、弁６２３が破断して抑制剤収容室６２内が電極体収容室６１内に開放する。これによって、抑制剤収容室６２から抑制剤８２０が放出され、電極体２と混合されて電解液が固化し、蓄電装置１００の電極反応が抑制されて、過充電状態となることが回避される。蓄電装置１００によれば、圧力が所定値以上となった場合に弁６２３が破断することのみによって抑制剤８２０が放出されるため、弁６２３が破断する圧力を調整するだけで、所定の電極体収容室６１内の圧力に応じて確実に抑制剤８２０を放出し、蓄電装置１００の過充電を抑制することができる。
【００３８】
また、弁６２３は破断弁であり、構造が簡単で省スペースであるため、蓄電装置１００は、コスト性に優れており、小型化が可能である。さらに、蓄電装置１００の使用時の設置方向において、抑制剤収容室６２は、その全体が電極体２の上方（蓄電装置１００の使用時における重力方向の上方）に位置しており、弁６２３は、電極体２を上方から見たときの中央位置の上方に位置している。このため、抑制剤収容室６２から放出される抑制剤８２０は、電極体２の上方からその全体に効率よく行き渡る。さらに、抑制剤８２０は液体であり、抑制剤収容室６２の平坦な下面６２１に弁６２３が設けられているから、弁６２３が破断してケース内に開放されると、抑制剤８２０のほぼ全量が電極体２側に放出される。抑制剤８２０を効率よく電極体２に混合することができるため、抑制剤８２０の収容量を、蓄電装置１００の過充電を抑制するのに必要な量により近づけることができ、抑制剤収容室６２の容積を小さくすることができる。
【００３９】
また、抑制剤収容室６２の下面６２１は、ケース６０と別の部材であるため、ケース６０と独立して設計することができる。例えば、ケース６０の厚さに関わらず、下面６２１を薄くすることができるため、弁６２３が破断する圧力に応じて、下面６２１を薄くすることができる。
【００４０】
（変形例）
図４〜７に、抑制剤収容室と弁についての変形例を示す。図４に示すように、蓄電装置１００は、電極体２側に面する下面が下方（蓄電装置１００の使用時における重力方向の下方）に傾斜する抑制剤収容室６３を備えていてもよい。抑制剤収容室６３の下面は、平坦部６３１ｃと、平坦部６３１ｃに向かって下方に傾斜する傾斜部６３１ａ，６３１ｂを備えている。傾斜部６３１ａ，６３１ｂおよび平坦部６３１ｃは、図１に示す抑制剤収容室６２と同様に、電極体収容室６１内の電極体２側に面している。平坦部６３１ｃには、弁６３２が設けられている。抑制剤収容室６３内には、粉末状の固体の抑制剤８３０が収容されている。液体の抑制剤８２０と比較すると、固体の抑制剤８３０は、流動性が低いが、抑制剤収容室６３は、下面が下方に傾斜しており、抑制剤収容室６３において最も下方に位置する平坦部６３１ｃに弁６３２が設けられているため、弁６３２の破断時には、ほぼ全量の抑制剤８３０を速やかに放出することができる。なお、弁は、傾斜部６３１ａ，６３１ｂに設けることもできる。また、例えば、抑制剤収容室の側面が、ケース内壁とは別の部材によって別個に設けられている場合には、側面の下方に弁を設けることもできる。このような場合であっても、抑制剤８３０の大半を電極体収容室６１内に速やかに放出することができる。
【００４１】
また、図５，６に示すように、蓄電装置１００は、破断弁以外の弁を有する抑制剤収容室６４を備えていてもよい。図５は、電極体収容室６１内の圧力が所定値よりも低く、弁６４３が閉じた状態を示している。弁６４３は、壁部６４３ａと、板状部材６４３ｂと、シール材６４３ｃと、弾性部材６４３ｄを備えている。壁部６４３ａは、抑制剤収容室６４の下面６４１の中央位置から上方に、ケース６０の上端面に達しない位置まで伸びている。シール材６４３ｃは、壁部６４３ａの上端に固定されており、例えば、Ｏリング等のシール材を用いることができる。板状部材６４３ｂは、シール材６４３ｃに接して、その上方に配置されている。弾性部材６４３ｄは、板状部材６４３ｂの周縁部の下面と、抑制剤収容室６４の下面６４１の上面に固定されている。弾性部材６４３ｄによって、板状部材６４３ｂは、下方に引き寄せられており、シール材６４３ｃに押し付けられており、これによって、弁６４３は封止されている。抑制剤収容室６４内には、実施例１と同様の液体の抑制剤８２０が収容され、弁６４３によって、電極体収容室６１側と隔離されている。
【００４２】
電極体収容室６１内の圧力が所定値以上になると、弁６４３が作動し、図６に示すように、板状部材６４３ｂが押し上げられて、シール材６４３ｃと離間される。板状部材６４３ｂとシール材６４３ｃとの間で抑制剤収容室６４内がケース内に開放され、抑制剤収容室６４から液体の抑制剤８２０が放出される。例えば、弾性部材６４３ｄの弾性率を調整する等によって、電極体収容室６１内の圧力が所定値よりも低い場合には弁６４３が閉じるとともに、電極体収容室６１内の圧力が所定値以上となった場合に、弁６４３が開放するように調整することができる。
【００４３】
また、図７に示す蓄電装置１００ａのように、ケース６０の外側に突出する抑制剤収容室６２ａを備えていてもよい。抑制剤収容室６２ａは、ケース６０の外表面に溶接によって固定されており、抑制剤収容室６２ａの下面６２１ａは、ケース６０の上端面の一部を利用して構成されている。電極体収容室６１は、ケース６０の内側全体に相当し、下面６２１ａの下面には、弁６２３ａが設けられている。蓄電装置１００ａのその他の構成は、蓄電装置１００と同様であるため、説明を省略する。蓄電装置１００ａによれば、ケース６０の内側における省スペース化に寄与することができ、ケース内の部材の設計の自由度が向上する。
【００４４】
なお、上記の実施例および変形例では、収容室に抑制剤が収容されている場合を例示して説明したが、収容室に難燃化剤が収容されていてもよく、この場合には、電極反応が抑制されるのに代えて、電極体の発火が抑制される。すなわち、収容室に難燃化剤が収容されている場合であっても、上記と同様の収容室等の構成を用いることができ、弁が作動する圧力を調整するだけで、所定の電極体収容室内の圧力に応じて確実に難燃化剤を放出し、蓄電装置の発火を抑制することができる。
【００４５】
以上、本発明の実施形態および実施例について詳細に説明したが、これらは例示に過ぎず、特許請求の範囲を限定するものではない。特許請求の範囲に記載の技術には、以上に例示した具体例を様々に変形、変更したものが含まれる。
【００４６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４７】
２  電極体
１０  負極外部端子
１２，３２  内側ナット
１４，３４  ボルト
１６，３６  外側ナット
２２，４２  ガスケット
２４  負極接続部材
２６  負極集電端子
３０  正極外部端子
４４  正極接続部材
４６  正極集電端子
６０  ケース
６１  電極体収容室
６２，６２ａ，６３，６４  抑制剤収容室
１００，１００ａ  蓄電装置
６２１，６２１ａ，６４１  下面
６２３，６２３ａ，６３３，６４３  弁
６３１ａ，６３１ｂ  傾斜部
６３１ｃ  平坦部
６４３ａ  壁部
６４３ｂ  板状部材
６４３ｃ  シール材
６４３ｄ  弾性部材
８２０，８３０  抑制剤
【図１】
0005821758.tif 000002
【図２】
0005821758.tif 000003
【図３】
0005821758.tif 000004
【図４】
0005821758.tif 000005
【図５】
0005821758.tif 000006
【図６】
0005821758.tif 000007
【図７】
0005821758.tif 000008